(57)【特許請求の範囲】
【請求項１】
少なくとも複数枚の円盤状記録媒体が所定の配列形態で収納され、これら複数枚の円盤状記録媒体のうち、１枚の円盤状記録媒体に対して選択的に情報信号の記録及び／又は再生を行う円盤状記録媒体用の記録及び／又は再生装置と、
複数の発信局の各使用帯域を選局して音声出力するチューナーと、
上記円盤状記録媒体用の記録及び／又は再生装置と上記チューナーとを選択する選択キーと、複数の数字キーとが配列された操作部と、
上記選択キーにて上記チューナーを選択したことを示す上記操作部からの第１の選択信号の入力に基づいて、上記複数の数字キーをそれぞれ上記チューナーの選局用プリセットキーとして設定し、上記選択キーにて上記円盤状記録媒体用の記録及び／又は再生装置を選択したことを示す上記操作部からの第２の選択信号の入力に基づいて、上記複数の数字キーのうち、上記円盤状記録媒体用の記録及び／又は再生装置における円盤状記録媒体の最大収納枚数に応じた数分の数字キーであって他の数字キーより大きく形成された数字キーを、上記円盤上記録媒体の選択用のキーとして割り付けるとともに、残りの数字キーを、演奏モードを設定するための演奏モード設定用キーとして割り付ける制御手段とを備えることを特徴とする音響装置。
【請求項２】
上記円盤状記録媒体の選択用のキーとして割り付けられる数字キーは、上記複数の数字キーのうち、若い数字から順次割り付けられることを特徴とする請求項１記載の音響装置。
【発明の詳細な説明】
【０００１】
【産業上の利用分野】
本発明は、少なくとも複数枚の円盤状記録媒体、例えば光ディスクが所定の配列形態で収納され、これら複数枚の円盤状記録媒体のうち、１枚の円盤状記録媒体に対して選択的に情報信号の記録及び／又は再生を行う円盤状記録媒体用の記録及び／又は再生装置と、複数の発信局の各使用帯域を選局して音声出力するチューナーとを具備した音響装置に関する。
【０００２】
【従来の技術】
近時、車載用の音響装置においては、カセットデッキやチューナーに加えて、光ディスク用の再生装置等も登載されて多機能化している。特に、光ディスク用の再生装置は、複数枚の光ディスクを装填することができるマガジンを有し、このマガジンに装填された複数枚の光ディスクを選択的に再生することができる、いわゆるチェンジャーが主流となってきている。
【０００３】
そして、これらチューナーやチェンジャー等の音響機器を搭載した音響装置においては、各機器の操作を集中して行うことができる操作パネルが設けられている。この操作パネルは、特に、狭い車室内に設置される車載用の音響装置においては、操作キー（例えば押しボタンキー）の配列空間に制約があり、操作キーをむやみに数多く配列できない状況にある。そこで、１つの操作キーの操作機能が、音響機器を選択する毎に変わる、いわゆるマルチファンクションキーを配列させることにより、キー配列に使用されるスペースを縮小するようにしている。
【０００４】
しかしながら、最近の音響機器は、単体だけでも数多くの機能があり、上記のようなマルチファンクションキーだけでは対応できない状況となってきている。従って、現在では、操作キーの操作機能を、操作している時間によって、更に別の機能に変えることができる、いわゆるダブルマルチファンクションキーを配列するようにしている。
【０００５】
このダブルマルチファンクションキーは、押している時間が短い（例えば１秒未満）、いわゆる短時間押しのとき、ある操作機能となり、押している時間が長い（例えば１秒以上）、いわゆる長時間押しのとき、別の操作機能となる。
【０００６】
操作パネルには、通常、数字を入力するための１０個の数字キー、即ちテン・キーが配されており、このテン・キーに、各音響機器に応じて各種機能をもたせるようにしている。
【０００７】
一例をあげると、操作パネルにあるソース選択キーで、例えばチューナーを選択したとき、上記テン・キーは、発信局の使用帯域を選局する選局用プリセットキーとして割り付けられる。
【０００８】
次に、上記ソース選択キーで、例えば１０枚の光ディスクを選択的に再生することができるチェンジャーを選択したとき、上記テン・キーは、数字「１」キーから数字「４」キーにかけて演奏モード選択キー（例えば数字「１」キー＝イントロプレイ、数字「２」キー＝リピートプレイ、数字「３」キー＝プログラムプレイ、数字「４」キー＝シャッフルプレイ、数字「５」キー〜数字「１０」キー＝機能無し）として、また、再生する光ディスクの選択操作キーとして割り付けられる。
【０００９】
そして、このチェンジャーが選択されている状態において、例えば数字「２」キーを短時間押ししたとき、再生中の光ディスクに対するリピートプレイが行われる。また、上記数字「２」キーを長時間押ししたとき、マガジンから２枚目の光ディスクが再生部にローディングされて、この２枚目の光ディスクに対する情報信号の再生が行われる。
【００１０】
【発明が解決しようとする課題】
しかしながら、車載用の音響装置においては、使用者の主行動が自動車を運転するという状況下において使用されることが多いため、この自動車を運転している状況下において、テン・キーを長時間押しすることは運転動作に支障を来すというおそれがあると共に、非常に煩わしいという問題がある。
【００１１】
本発明は、上記の課題に鑑みてなされたもので、その目的とするところは、キー操作において、長時間押しをなくすことができ、車載用の音響装置に適用した場合におけるその操作性の向上を図ることができる音響装置を提供することにある。
【００１２】
【課題を解決するための手段】
本発明は、少なくとも複数枚の円盤状記録媒体が所定の配列形態で収納され、これら複数枚の円盤状記録媒体のうち、１枚の円盤状記録媒体に対して選択的に情報信号の記録及び／又は再生を行う円盤状記録媒体用の記録及び／又は再生装置と、複数の発信局の各使用帯域を選局して音声出力するチューナーと、上記円盤状記録媒体用の記録及び／又は再生装置と上記チューナーとを選択する選択キーと、複数の数字キーとが配列された操作部と、上記選択キーにて上記チューナーを選択したことを示す上記操作部からの第１の選択信号の入力に基づいて、上記複数の数字キーをそれぞれ上記チューナーの選局用プリセットキーとして設定し、上記選択キーにて上記円盤状記録媒体用の記録及び／又は再生装置を選択したことを示す上記操作部からの第２の選択信号の入力に基づいて、上記複数の数字キーのうち、上記円盤状記録媒体用の記録及び／又は再生装置における円盤状記録媒体の最大収納枚数に応じた数分の数字キーであって他の数字キーより大きく形成された数字キーを、上記円盤上記録媒体の選択用のキーとして割り付けるとともに、残りの数字キーを、演奏モードを設定するための演奏モード設定用キーとして割り付ける制御手段とを備えて構成する。
【００１４】
なお、上記円盤状記録媒体の選択用のキーとして割り付けられる数字キーを、上記複数の数字キーのうち、若い数字から順次割り付けられるようにしてもよい。
【００１５】
【作用】
本発明に係る音響装置においては、まず、操作部に配された選択キーを操作して、チューナーを選択した場合、操作部からチューナーを選択したことを示す第１の選択信号が出力され、制御手段に入力される。制御手段は、上記操作部からの第１の選択信号の入力に基づいて、操作部に配列されている複数の数字キーを同一の機能に設定する。即ち、複数の数字キーを発信局の使用帯域を選局する選局用プリセットキーとして割り付ける。
【００１６】
次に、操作部に配された上記選択キーを操作して、円盤状記録媒体用の記録及び／又は再生装置を選択した場合、操作部から円盤状記録媒体用の記録及び／又は再生装置を選択したことを示す第２の選択信号が出力され、制御手段に入力される。制御手段は、上記操作部からの第２の選択信号の入力に基づいて、操作部に配列されている複数の数字キーを複数の機能に割り付ける。即ち、複数の数字キーのうち、円盤状記録媒体用の記録及び／又は再生装置における円盤状記録媒体の最大収納枚数に応じた数分の数字キーを、円盤状記録媒体の選択用のキーとして割り付ける。
【００１７】
従って、この円盤状記録媒体用の記録及び／又は再生装置が選択された場合、円盤状記録媒体の選択用のキーとして割り付けられた数字キーを、例えばこの円盤状記録媒体用の記録及び／又は再生装置に収納された複数枚の円盤状記録媒体から１枚の円盤状記録媒体を選択するためのキーとして機能させることができ、他の数字キーを、例えば再生中の演奏モードの選択用として機能させることができる。
【００１８】
これにより、再生する円盤状記録媒体を選択するために、上記円盤状記録媒体の選択用として割り付けられた数字キーを操作すればよく、しかも他の機能（例えば上記の演奏モードの選択機能）と重複していないため、上記数字キーを短時間押しにて操作することが可能となる。また、例えば上記の例で演奏モードを選択する場合は、円盤状記録媒体の選択用のキーとして割り付けられていない数字キーを操作すればよく、しかも他の機能（例えば上記の再生する円盤状記録媒体を選択する機能）と重複していないため、上記他の数字キーを短時間押しにて操作することが可能となる。
【００１９】
このように、本発明に係る音響装置においては、数字キーをすべて短時間押しにて操作することが可能となるため、車載用の音響装置に適用した場合において、その操作性の向上を図ることができる。
【００２０】
【実施例】
以下、本発明に係る音響装置を車載用の音響装置に適用した実施例（以下、単に実施例に係る音響装置と記す）を図１〜図６を参照しながら説明する。
【００２１】
この実施例に係る音響装置は、図１に示すように、それぞれ光ディスク（例えば再生専用型光ディスクや書き込み可能型光磁気ディスク等）が回転自在に収納された複数枚のディスクカートリッジが所定の配列形態で収納され、これら複数枚のディスクカートリッジのうち、１枚のディスクカートリッジにおける光ディスクに対して選択的に情報信号の再生を行い、この再生にかかる情報信号を４つのスピーカ（４チャンネルスピーカ）から音声出力する光ディスク再生装置と、少なくとも複数の発信局の各使用帯域を選局して音声出力するチューナーとを有して構成されている。
【００２２】
上記光ディスク再生装置は、図１に示すように、最大で４枚のディスクカートリッジ１がそれぞれ平面的に２行２列の配列形態で装填されるマガジン２が着脱口３を介して装着される再生装置本体４と、この再生装置本体４の前面にヒンジ（図示せず）によって上記着脱口３に対して開閉自在とされた操作パネル５を有する。
【００２３】
再生装置本体４は、図示しないが、その内部に回転テーブルが例えばシャーシに対して回転自在に取り付けられている。この回転テーブルは、その上面に１つのスピンドルモータと１つの光学ピックアップが取り付けられている。これらのスピンドルモータ及び光学ピックアップは、再生装置本体４への電源投入によって、回転テーブルが初期回転することにより、所定位置（ホーム位置）に停止される。
【００２４】
そして、複数枚のディスクカートリッジ１が装填されたマガジン２を、着脱口３を通して再生装置本体４内に挿入すると、図１の拡大図上、２行１列目に装填されているディスクカートリッジ１に対応した位置（配列番号「１」で示す位置）、特に、ディスクカートリッジ１に取り付けられた開閉シャッタが開かれることによって、内部の光ディスクが一部露出した部分に対応した位置にそれぞれスピンドルモータと光学ピックアップが位置することになる。
【００２５】
上記スピンドルモータは、その上端に、選択されたディスクカートリッジ１の光ディスクが装着されるターンテーブルが固着されている。また、光学ピックアップは、その内部に、少なくとも光ディスクに記録されている情報信号を光学的に読み出すためのレーザビームを出射するレーザ光源と、このレーザ光源からのレーザビームを光ディスクの記録面に集光させる対物レンズと、光ディスクの記録面にて反射された反射光を電気信号（検出信号）に光電変換するフォトディテクタが組み込まれて構成されている。また、対物レンズは二次元アクチュエータによってフォーカス調整及びトラッキング調整が行われる。
【００２６】
また、光学ピックアップは、リニアモータを主体とする既知のスライド機構によって、スピンドルモータのターンテーブルに装着された光ディスクの径方向に移動可能とされている。
【００２７】
そして、これら光ディスク再生装置及びチューナーの操作は、音響装置の前面に設けられた操作パネル５にて集中的に行うことができるようになっている。この操作パネル５は、図２に示すように、その前面中央に表示画面１１が配され、この表示画面１１を中心としてその下部の位置にテン・キー１２が横一列に配列されている。また、表示画面１１を中心としてその右側には、ソース選択キー１３が配されている。
【００２８】
このソース選択キー１３は、音響装置に搭載された各種音響機器から少なくとも光ディスク再生装置を選択するための光ディスク再生装置選択キー１３ａと、チューナーを選択するためのチューナー選択キー１３ｂとを有して構成されている。
【００２９】
上記テン・キー１２は、「１」キーから「４」キーにかけての各キーの大きさが、「５」キーから「１０」キーにかけての各キーの大きさよりも２倍ほど大きく形成されて配されている。
【００３０】
そして、このテン・キー１２は、後述するように、チューナーを選択したとき、受信周波数を選択するための選局用のプリセットキーとして機能し、光ディスク再生装置を選択したとき、「１」キー〜「４」キーが再生する光ディスクを選択するための光ディスク選択用のキーとして機能し、「５」キー〜「８」キーが再生中の演奏モードを設定するための演奏モード設定用のキーとして機能する。
【００３１】
この例では、「５」キーがＩＮＴＲＯ（イントロプレイモード）、「６」キーがＲＥＰＥＡＴ（リピートモード）、「７」キーがＢＡＮＫ（プログラムモードにてユーザー設定した曲順による再生か、又は通常の曲順による再生かを選択するモード）、「８」キーがＳＨＵＦＦＬＥ（シャッフルモード）として割り付けられている。なお、「９」キー及び「１０」キーは機能無しとして割り付けられている。
【００３２】
次に、この音響装置の全体構成を図３のブロック図に基づいて説明すると、この音響装置は、操作パネル５に配されている各種操作キーへの選択操作によって割り込みを発生し、その選択操作された操作キーに応じたキー入力データＤｉを出力する操作部２１と、操作パネル５からのキー入力データＤｉが入力され、この入力されたキー入力データＤｉに基づいて各種制御を行い、また、各種回路からの情報を表示部２２に出力して操作パネル５の表示画面１１にキャラクタ表示又はグラフィック表示させる制御部２３と、この制御部２３での制御手順（制御プログラム）や制御部２３がその制御手順を実行する際に参照するデータがそれぞれ格納されたメモリ２４と、このメモリ２４から制御部２３を介して制御プログラム等が転送されて動作用のワーキングエリアとして使用される動作用メモリ２５と、上記制御部２３からの制御信号及びデータに基づいて起動、制御され、マガジン２内に収納されたディスクカートリッジ１中、選択されたディスクカートリッジ１内の光ディスクに対して情報信号の再生を行う光ディスク再生装置３１と、上記制御部２３からの制御信号及びデータに基づいて起動、制御され、複数の発信局の各使用帯域を選局して音声出力するチューナー４１とを有する。
【００３３】
上記光ディスク再生装置２５は、上述した回転テーブル、スピンドルモータ、光学ピックアップ等から構成される再生機構部３２と、後述するシステムコントローラ３５からの制御信号及び再生機構部３２における光学ピックアップからの検出信号等に基づいてスピンドルモータや光学ピックアップ等をサーボ制御するサーボ制御回路３３と、再生機構部３２における光学ピックアップからの検出信号を再生信号に復調して、それぞれ４チャンネルスピーカに出力するためのＲ側音声信号ＳＲ  及びＬ側音声信号ＳＬ  に変換し、また、アドレス信号を後述するシステムコントローラ３５に供給する信号処理回路３４と、上記制御部２３からの制御信号及びデータや信号処理回路３４からのアドレス信号等に基づいて、上記再生機構部３２、サーボ制御回路３３及び信号処理回路３４等を制御し、また、再生機構部３２での再生状態をデータ情報として制御部２３に供給するシステムコントローラ３５とから構成されている。
【００３４】
チューナー４１は、上記制御部２３からの起動信号に基づいて起動し、また、制御部２３からのデータに基づいて受信のためのチューニングを行うチューニング回路４２と、このチューニング回路４２によるチューニングによって受信された電波信号をそれぞれ４チャンネルスピーカに出力するためのＲ側音声信号ＳＲ  及びＬ側音声信号ＳＬ  に復調する復調回路４３とを有する。
【００３５】
次に、この音響装置の動作を、図４〜図６で示すフローチャートに基づいて説明する。まず、図４のメインルーチンにおいて、音響装置への電源投入後、制御部２３がキー入力待ちとなる（ステップＳ１）。
【００３６】
操作パネル５へのキー操作に伴う操作部２１からの割り込み信号の発生によって、ステップＳ２に進み、操作されたキーがソース選択キー１３であるかどうかが制御部２３において判別される。これは、操作部２１から制御部２３に入力されるキー入力データＤｉに基づいて判別される。操作されたキーがソース選択キー１３である場合、次のステップＳ３に進み、操作されたソース選択キー１３が光ディスク再生装置選択キー１３ａであるかどうかが判別される。
【００３７】
なお、ステップＳ２において、操作されたキーがソース選択キー１３でなかった場合、ステップＳ４に進み、操作されたキーに応じた処理が行われた後、再びステップＳ１に戻ってキー入力待ち状態となる。
【００３８】
上記ステップＳ３において、操作されたソース選択キー１３が光ディスク再生装置選択キー１３ａであると判別された場合は、ステップＳ５に進み、現在動作中の音響機器を停止させる。具体的には、例えば制御部２３から現在動作中の音響機器に対して停止信号を出力して、その音響機器を停止させる。
【００３９】
その後、制御部２３は、メモリ２４から光ディスク再生装置３１を動作させるための制御プログラムを動作用メモリ２５に転送して（ステップＳ６）、その制御プログラムを実行する（ステップＳ７）。
【００４０】
この制御プログラムの実行による動作は、図５のフローチャートに示すように、まず、ステップＳ１０１にてキー入力待ちになる。操作パネル５へのキー操作に伴う操作部２１からの割り込み信号の発生によって、ステップＳ１０２に進み、操作されたキーがテン・キー１２であるかどうかが制御部２３において判別される。
【００４１】
操作されたキーがテン・キー１２である場合、次のステップＳ１０３に進み、操作されたテン・キー１２が「１」キー〜「４」キーのいずれかであるかが判別される。操作されたテン・キー１２が「１」キー〜「４」キーのいずれかである場合、次のステップＳ１０４に進んで、現在再生動作中かどうかを判別する。これは、例えばシステムコントローラ３５からのシステム状態フラグ情報におけるＢＵＳＹビットに基づいて判別される。
【００４２】
上記テン・キー１２の「１」キー〜「４」キーに対する選択操作の際、これらのキーは、後述する演奏モード設定用のキー（この例では、「５」キー〜「８」キー）と機能的に重複していないため、短時間押しにて選択操作を行うことができる。
【００４３】
そして、制御部２１は、光ディスク再生装置３１が再生動作中であれば、光ディスク再生装置３１のシステムコントローラ３５に対して停止信号を出力してその再生動作を停止させる（ステップＳ１０５）。その後、制御部２３は、システムコントローラ３５に対して再生起動信号とキー入力データＤｉで示す番号データ（「１」〜「４」のいずれかの番号データ）を出力する（ステップＳ１０６）。
【００４４】
システムコントローラ３５は、制御部２３からの再生起動信号の入力に基づいて、再生機構部３２を起動し、更に再生機構部３２に番号データを出力する。再生機構部３２は、回転テーブルを回転させて、供給された番号データで示す番号に対応したディスクカートリッジ１の位置にスピンドルモータ及び光学ピックアップを移動させる（光ディスク交換動作：ステップＳ１０７）。
【００４５】
その後、システムコントローラ３５は、再生機構部３２に再生要求信号を出力する。再生機構部３２は、システムコントローラ３５からの再生要求信号の入力に基づいて、該当するディスクカートリッジ１内に収納されている光ディスクに対して情報信号の再生を行う（ステップＳ１０８）。再生された情報信号は、信号処理回路３４にて復調されて音声信号ＳＲ  及びＳＬ  に変換され、４チャンネルスピーカから音声として出力される。
【００４６】
このとき、制御部２３は、表示部２２に対して光ディスク交換中、該当の光ディスクが再生開始されたことなどを示す状態メッセージデータを出力する。表示部２２は、供給された状態メッセージデータを表示画面にキャラクタ表示する。そして、再生機構部３５による再生時、制御部２３は、再生対象となっている光ディスクの番号及びタイトル並びにシステムコントローラ３５から供給されるトラック番号及び演奏時間の更新データを表示部２２に出力して、表示画面１１にキャラクタ表示させる。
【００４７】
制御部２３は、上記ステップＳ１０８から再びステップＳ１０１に制御を移してキー入力待ち状態となる。
【００４８】
一方、上記ステップＳ１０２において、操作されたキーがテン・キー１２でないと判別された場合は、ステップＳ１０９に進んで、操作されたキーがソース選択キー１３であるかどうかを判別する。
【００４９】
操作されたキーがソース選択キー１３である場合、この制御プログラムの実行を終了して、図４で示すメインルーチンのステップＳ３に戻る。また、操作されたキーがソース選択キー１３でない場合は、ステップＳ１１０に進んで、操作されたキーに応じた処理が行われた後、再びステップＳ１０１に戻ってキー入力待ち状態となる。
【００５０】
他方、上記ステップＳ１０３において、操作されたテン・キー１２が「１」キー〜「４」キーのいずれでもないと判別された場合は、ステップＳ１１１に進み、操作されたテン・キー１２が「５」キー〜「８」キーのいずれかであるかが判別される。
【００５１】
操作されたテン・キー１２が「５」キー〜「８」キーのいずれかである場合、次のステップＳ１１２に進み、制御部２３は、再生中の演奏モードをキーの番号に応じた演奏モードに設定する。例えば、操作されたテン・キーが「６」キーである場合、制御部２３は、再生中の演奏モードをリピートモードに設定する。そして、サーボ制御回路３３から、現在再生中の曲の終わりの信号が入力されたとき、光学ピックアップをその曲の頭に戻るように制御する。
【００５２】
また、このとき、表示画面１１には、リピートモードであることを示すメッセージがキャラクタ表示される。上記テン・キー１２の「５」キー〜「８」キーに対する選択操作の際、これらのキーは、上記光ディスク選択用のキー（この例では、「１」キー〜「４」キー）と機能的に重複していないため、短時間押しにて選択操作を行うことができる。
【００５３】
上記ステップＳ１１２において、操作されたキーに応じた演奏モードが設定された後は、再びステップＳ１０１に戻ってキー入力待ち状態になる。一方、上記ステップＳ１１１において、操作されたテン・キー１２が「５」キー〜「８」キーのいずれでもないと判別された場合は、ステップＳ１１３に進んで、操作されたキーに応じた処理が行われた後、再びステップＳ１０１に戻ってキー入力待ち状態となる。このステップＳ１１３は、テン・キー１２のうち、「９」キー及び「１０」キーが操作されたときに通るルーチンであるが、この例では、機能無しとして割り付けられているため、例えば表示画面に「機能無し」を意味するメッセージを表示してステップＳ１０１に戻る。
【００５４】
次に、図４のメインルーチンに戻り、ステップＳ３において、操作されたソース選択キー１３が光ディスク再生装置選択キー１３ａでないと判別された場合は、ステップＳ８に進み、操作されたソース選択キー１３がチューナー選択キー１３ｂであるかどうかが判別される。
【００５５】
上記ステップＳ８において、操作されたソース選択キー１３がチューナー選択キー１３ｂであると判別された場合は、ステップＳ９に進み、現在動作中の音響機器を停止させる。その後、制御部２３は、メモリ２４からチューナー４１を動作させるための制御プログラムを動作用メモリ２５に転送して（ステップＳ１０）、その制御プログラムを実行する（ステップＳ１１）。
【００５６】
この制御プログラムの実行による動作は、図６のフローチャートに示すように、まず、ステップＳ２０１にてキー入力待ちになる。操作パネル５へのキー操作に伴う操作部２１からの割り込み信号の発生によって、ステップＳ２０２に進み、操作されたキーがテン・キー１２であるかどうかが制御部２３において判別される。
【００５７】
操作されたキーがテン・キー１２である場合、次のステップＳ２０３に進む。このステップＳ２０３においては、制御部２３は、メモリ２４内の周波数プリセットデータファイルから操作されたテン・キー１２の番号に対応する周波数データを読み出して、チューナー４１内のチューニング回路４２に出力する。
【００５８】
チューニング回路４２は、受信周波数を供給された周波数データで示す周波数にセットして、その周波数の電波を受信する（ステップＳ２０４）。この受信された電波は、復調回路４３にて音声信号ＳＲ  及びＳＬ  に復調されて４チャンネルスピーカから音声として出力される。このとき、制御部２３から表示部２２に対して周波数データが供給され、この周波数データで示す受信周波数の数字が表示画面１１にキャラクタ表示される。
【００５９】
制御部２３は、上記ステップＳ２０４から再びステップＳ２０１に制御を移してキー入力待ち状態となる。
【００６０】
一方、上記ステップＳ２０２において、操作されたキーがテン・キー１２でないと判別された場合は、ステップＳ２０５に進んで、操作されたキーがソース選択キー１３であるかどうかを判別する。操作されたキーがソース選択キー１３である場合、この制御プログラムの実行を終了して、図４で示すメインルーチンのステップＳ３に戻る。また、操作されたキーがソース選択キー１３でない場合は、ステップＳ２０６に進んで、操作されたキーに応じた処理が行われた後、再びステップＳ２０１に戻ってキー入力待ち状態となる。
【００６１】
なお、図４で示すメインルーチンのステップＳ８において、操作されたキーがチューナー選択キー１３ｂでないと判別された場合は、ステップＳ１２に進んで、操作されたキーに応じた処理が行われた後、全体の動作が終了する。
【００６２】
このように、本実施例に係る音響装置においては、まず、操作パネル５に配されたソース選択キー１３のうち、チューナー選択キー１３ｂを選択操作して、チューナー４１を選択した場合は、操作部２１からチューナー４１を選択したことを示すキー入力データＤｉが制御部２３に入力され、この制御部２３において、上記操作部２１からのキー入力データＤｉの入力に基づいて、操作パネル５に配列されているテン・キー１２が等価的に発信局の使用帯域を選局する選局用プリセットキーとして割り付けられることになる。
【００６３】
また、操作パネル５に配されたソース選択キー１３のうち、光ディスク再生装置選択キー１３ａを選択操作して、光ディスク再生装置３１を選択した場合においては、操作部２１から光ディスク再生装置３１を選択したことを示すキー入力データＤｉが制御部２３に入力され、制御部２３において、上記操作部２１からのキー入力データＤｉの入力に基づいて、操作パネル５に配列されているテン・キー１２が複数の機能に割り付けられることになる。即ち、テン・キー１２のうち、光ディスク再生装置３１のマガジン２に収納できるディスクカートリッジ１の数分の数字キー、この場合、最大で４枚のディスクカートリッジ１を収納できるため、「１」キー〜「４」キーが、光ディスク選択用のキーとして割り付けられることになる。
【００６４】
従って、この光ディスク再生装置４１が選択された場合、光ディスク選択用のキーとして割り付けられた「１」キー〜「４」キーを、例えばこの光ディスク再生装置３１のマガジン２に収納された４枚の光ディスクから１枚の光ディスクを選択するためのキーとして機能させることができ、他の数字キー（この場合、「５」キー〜「８」キー）を、例えば再生中の演奏モード設定用のキーとして機能させることができる。
【００６５】
これにより、再生する光ディスクを選択するために、上記光ディスク選択用のキーとして割り付けられた「１」キー〜「４」キーを選択操作すればよく、しかも他の機能（演奏モードの設定機能）と重複していないため、上記「１」キー〜「４」キーを短時間押しにて操作することが可能となる。また、再生時の演奏モードを設定する場合は、光ディスク選択用のキーとして割り付けられていない数字キー（「５」キー〜「８」キー）を選択操作すればよく、しかも他の機能（再生する光ディスクを選択する機能）と重複していないため、上記「５」キー〜「８」キーを短時間押しにて操作することが可能となる。
【００６６】
その結果、光ディスクの選択及び演奏モードの設定をテン・キー１２に対する短時間押しのみにて行うことが可能となるため、この実施例のように車載用の音響装置に適用した場合において、その操作性の向上を図ることができる。
【００６７】
また、光ディスク選択用のキー（「１」キー〜「４」キー）の大きさを他のテン・キー（「５」キー〜「１０」キー）と比して２倍程度大きくするようにしたので、テン・キー１２の機能判別が容易になり、しかも、テン・キー１２のうち、若い数字のキーから光ディスク選択用のキーを割り付けるようにしているため、光ディスク選択用のキーの数字と光ディスクの番号（配列番号）とを対応させることができ、再生する光ディスクの選択が非常に容易になる。加えて、４枚の光ディスクを選択的に再生することができる光ディスク再生装置３１の存在感を強調させる、即ち印象付けさせることができる。
【００６８】
上記実施例においては、音響装置に搭載される音響機器として、光ディスク再生装置３１及びチューナー４１を主体にして説明したが、これらの音響機器に加えて、車載用のテレビジョン、１０枚の再生専用型光ディスク（コンパクト・ディスク）に対して情報信号を選択的に再生することができる光ディスク再生装置を搭載させたものにも適用させることができる。
【００６９】
【発明の効果】
上述のように、本発明に係る音響装置によれば、少なくとも複数枚の円盤状記録媒体が所定の配列形態で収納され、これら複数枚の円盤状記録媒体のうち、１枚の円盤状記録媒体に対して選択的に情報信号の記録及び／又は再生を行う円盤状記録媒体用の記録及び／又は再生装置と、複数の発信局の各使用帯域を選局して音声出力するチューナーと、上記円盤状記録媒体用の記録及び／又は再生装置と上記チューナーとを選択する選択キーと、複数の数字キーとが配列された操作部と、上記選択キーにて上記チューナーを選択したことを示す上記操作部からの第１の選択信号の入力に基づいて、上記複数の数字キーをそれぞれ上記チューナーの選局用プリセットキーとして設定し、上記選択キーにて上記円盤状記録媒体用の記録及び／又は再生装置を選択したことを示す上記操作部からの第２の選択信号の入力に基づいて、上記複数の数字キーのうち、上記円盤状記録媒体用の記録及び／又は再生装置における円盤状記録媒体の最大収納枚数に応じた数分の数字キーであって他の数字キーより大きく形成された数字キーを、上記円盤上記録媒体の選択用のキーとして割り付けるとともに、残りの数字キーを、演奏モードを設定するための演奏モード設定用キーとして割り付ける制御手段とを備えるので、キー操作において、長時間押しをなくすことができ、車載用の音響装置に適用した場合において、その操作性の向上を図ることができる。
【図面の簡単な説明】
【図１】本発明に係る音響装置を車載用の音響装置に適用した実施例（以下、単に実施例に係る音響装置と記す）に搭載される光ディスク再生装置の概略構成を示す斜視図及びマガジンへのディスクカートリッジの配列状態を示す拡大図である。
【図２】本実施例に係る光ディスク再生装置の操作パネルを示す正面図である。
【図３】本実施例に係る音響装置の構成を示すブロック図である。
【図４】本実施例に係る音響装置の動作を示すフローチャート（メインルーチン）である。
【図５】本実施例に係る音響装置の動作、特に光ディスク再生装置用の制御プログラムによる処理動作を示すフローチャート（サブルーチン）である。
【図６】本実施例に係る音響装置の動作、特にチューナー用の制御プログラムによる処理動作を示すフローチャート（サブルーチン）である。
【符号の説明】
１  ディスクカートリッジ
２  マガジン
４  再生装置本体
５  操作パネル
１１  表示画面
１２  テン・キー
１３  ソース選択キー
１３ａ  光ディスク再生装置選択キー
１３ｂ  チューナー選択キー
２１  操作部
２２  表示部
２３  制御部
２４  メモリ
３１  光ディスク再生装置
３２  再生機構部
３３  サーボ制御回路
３４  信号処理回路
３５  システムコントローラ
４１  チューナー
４２  チューニング回路
４３  復調回路
【図１】
0003572630.tif 000002
【図２】
0003572630.tif 000003
【図３】
0003572630.tif 000004
【図４】
0003572630.tif 000005
【図５】
0003572630.tif 000006
【図６】
0003572630.tif 000007